(57)【特許請求の範囲】
【請求項１】
建物の基礎に設けられる開口の周囲に設けられて、前記開口周囲の基礎部分を補強する開口補強筋であって、
前記開口が設けられる部位を側方から挟むように設けられ、かつ基礎の高さ方向に長尺な一対の側方補強筋と、該一対の側方補強筋を連結する連結筋とを備えた第１補強筋と、  前記側方補強筋間に亙って設けられる第２補強筋とを備え、
前記第２補強筋は、前記開口の外側に設けられ、かつ基礎の高さ方向に長尺な一対の外側補強筋と、該一対の外側補強筋の基端部どうしを連結する基端連結筋とを備えていることを特徴とする開口補強筋。
【請求項２】
連結筋は、一対の側方補強筋の下端部どうしを連結していることを特徴とする請求項１記載の開口補強筋。
【請求項３】
一対の側方補強筋の長さが、基礎の地盤からの高さとほぼ同じになっていることを特徴とする請求項１または２記載の開口補強筋。
【請求項４】
建物の基礎に設けられる開口の周囲の基礎部分を、請求項１〜３のいずれか記載の開口補強筋を用いて補強する開口の補強方法であって、
前記開口補強筋の第１補強筋を、一対の側方補強筋が前記開口が設けられる部位を側方から挟むように設ける一方で、第２補強筋を、前記開口が設けられる部位の下方において前記一対の側方補強筋間に亙って設けることを特徴とする開口の補強方法。
【発明の詳細な説明】
【０００１】
【発明の属する技術分野】
本発明は、建物の基礎に設けられる開口の周囲を補強する開口補強筋及び開口の補強方法に関する。
【０００２】
【背景の技術】
例えば、特開平１０−２２７０７８号公報に示すように、建物の基礎を鉄筋コンクリートで施工するにあたって、基礎に開口を形成する場合がある。この場合、開口周囲の基礎部分を補強すべく、基礎の鉄筋を組む際に、開口が設けられる部位の周囲に補強筋を設ける。
【０００３】
【発明が解決しようとする課題】
ところで、基礎の開口には様々な使用目的があり（例えば、換気口や基礎内部の点検口等）、開口は使用目的によって様々な大きさに形成される。従来は、開口の大きさによって異なる補強筋を用いて開口周囲の基礎部分を補強していたので、様々な種類の補強筋を用意しなければならなかった。したがってこれら様々な補強筋から開口の大きさに対応した補強筋を選択するのが面倒であり、よって補強筋を設ける作業に手間がかかっていた。
本発明の課題は、開口周囲の基礎部分を容易に補強することができる開口補強筋及び開口の補強方法を提供することである。
【０００４】
【課題を解決するための手段】
以上の課題を解決するため、請求項１記載の発明は、例えば図１〜図３に示すように、建物の基礎１に設けられる開口４の周囲に設けられて、前記開口４周囲の基礎部分を補強する開口補強筋５であって、前記開口４が設けられる部位を側方から挟むように設けられ、かつ基礎１の高さ方向に長尺な一対の側方補強筋１１・１１と、該一対の側方補強筋１１・１１を連結する連結筋１２とを備えた第１補強筋１０と、前記側方補強筋１１・１１間に亙って設けられる第２補強筋２０とを備え、
前記第２補強筋２０は、前記開口４の外側に設けられ、かつ基礎１の高さ方向に長尺な一対の外側補強筋２２・２２と、該一対の外側補強筋２２・２２の基端部どうしを連結する基端連結筋２１とを備えていることを特徴とする。
【０００５】
請求項１記載の発明によれば、建物の基礎１に設けられる開口４の周囲の基礎部分を以下のようにして補強する。すなわち、基礎１を施工するに際して、第１補強筋１０を、一対の側方補強筋１１・１１が開口４が設けられる部位を側方から挟むように設ける。一方、第２補強筋２０の設置位置を開口４の大きさに応じて上下に適宜変更して、第２補強筋２０を開口４が設けられる部位の下方において側方補強筋１１・１１間に亙って設けることで、開口４の周囲の基礎部分を補強する。従って、開口４の大きさによらず、開口４の周囲の基礎部分を開口補強筋５の第１補強筋１０及び第２補強筋２０で補強することができるので、開口４周囲の基礎部分を容易に補強することができる。
また、外側補強筋２２・２２を基端連結筋２１よりも下方に配置した状態で第２補強筋２０を設けたり、図２に示すように、第２補強筋２０を図１の場合よりも下方に設けたり、図３に示すように、基端連結筋２１を図２の場合よりも下方に配置し、かつ外側補強筋２２・２２を基端連結筋２１よりも上方に配置した状態で、第２補強筋２０を設けることによって、開口４の大きさをより自在に変更することができる。
【０００６】
ここで、第１補強筋１０及び第２補強筋２０を設けるには、例えば基礎１を構成する主筋２ａ及びあばら筋３に第１補強筋１０及び第２補強筋２０を固定するか、あるいは、第１補強筋１０及び第２補強筋２０のうち一方の補強筋を主筋２ａ及びあばら筋３に固定しておき、他方の補強筋を一方の補強筋に固定すればよい。
【０００７】
請求項２記載の発明は、例えば図１〜図３に示すように、請求項１記載の開口補強筋５において、連結筋１２は、一対の側方補強筋１１・１１の下端部１１ｂ・１１ｂどうしを連結していることを特徴とする。
請求項２記載の発明によれば、連結筋１２を開口４の下方に配置した状態で第１補強筋１０を設けることによって、開口４の下方及び側方の基礎部分を連結筋１２及び側方補強筋１１・１１によって補強することができる。
【０００８】
請求項３記載の発明は、例えば図１〜図３に示すように、請求項１または２記載の開口補強筋５において、一対の側方補強筋１１・１１の長さが、基礎１の地盤６からの高さとほぼ同じになっていることを特徴とする。
請求項３記載の発明によれば、一対の側方補強筋１１・１１の長さが、基礎１の地盤６からの高さとほぼ同じになっているので、側方補強筋１１・１１で挟まれる開口４の上下の大きさを、第２補強筋２０の設置高さを調整することによって自在に変更することができる。
【００１１】
請求項４記載の発明は、例えば図１〜図３に示すように、建物の基礎１に設けられる開口４の周囲の基礎部分を、請求項１〜３のいずれか記載の開口補強筋５を用いて補強する開口４の補強方法であって、前記開口補強筋５の第１補強筋１０を、一対の側方補強筋１１・１１が前記開口４が設けられる部位を側方から挟むように設ける一方で、第２補強筋２０を、前記開口４が設けられる部位の下方において前記一対の側方補強筋１１・１１間に亙って設けることを特徴とする。
【００１２】
請求項４記載の発明によれば、第１補強筋１０を、一対の側方補強筋１１・１１が開口４が設けられる部位を側方から挟むように設ける一方で、第２補強筋２０を、開口４が設けられる部位の下方において側方補強筋１１・１１間に亙って設けることで、開口４の周囲の基礎１を補強する。ここで、第２補強筋２０は、第２補強筋２０の設置位置を開口４の大きさに応じて上下に適宜変更することで、開口４が設けられる部位の下方において側方補強筋１１・１１間に亙って設けられる。
【００１３】
従って、開口４の大きさによらず、開口４の周囲の基礎部分を開口補強筋５の第１補強筋１０及び第２補強筋２０で補強することができるので、開口４周囲の基礎部分を容易に補強することができる。
また、請求項２〜４のいずれか記載の開口補強筋５を用いることで、請求項２〜４のいずれかと同様の効果を得ることができる。
【００１４】
【発明の実施の形態】
以下、図を参照して本発明の実施の形態を詳細に説明する。本実施の形態においては、図１に示すように、建物の基礎１を鉄筋コンクリートで施工するにあたって、本発明に係る開口補強筋５を用いて基礎１に設けられる開口４の周囲の基礎部分を補強している。
まず、開口補強筋５の構成を図１、図５及び図６に基づいて説明する。
開口補強筋５は第１補強筋１０と、第２補強筋２０との二種類の鉄筋で構成されている。
【００１５】
第１補強筋１０は、鉄筋を折り曲げることで形成されており、所定の間隔を隔てて形成され、かつ互いに平行な一対の側方補強筋１１・１１と、側方補強筋１１・１１の下端部１１ｂ・１１ｂどうしを連結する連結筋１２とを備えている。
側方補強筋１１は、開口４が設けられる部位を挟むように、かつ基礎１の高さ方向に長尺になるようにして設けられる部分である。
側方補強筋１１は、上端部１１ａでＵ字状に折り返された形状となっており、また、側方補強筋１１の上端部１１ａから下端部１１ｂまでの長さは、基礎１の地盤６からの高さとほぼ同じになっている。
【００１６】
第２補強筋２０は、鉄筋を折り曲げることで形成されており、所定の間隔を隔てて形成され、かつ互いに平行な一対の外側補強筋２２・２２と、外側補強筋２２・２２の基端部どうしを連結する基端連結筋２１とを備えている。
外側補強筋２２は、開口４の外側に設けられ、かつ基礎１の高さ方向に長尺な部分であり、先端部側で基端連結筋２１側にほぼ直角に折り曲げられた形状となっている。
【００１７】
次に、開口補強筋５を用いた開口４周囲の基礎部分の補強方法について図１〜図４を用いて説明する。
まず、基礎１の骨組２を、地盤６上の基礎１を施工する部位に設置しておく。骨組２は、図４に示すように、上下・左右に配筋された４本の主筋２ａと、これら４本の主筋２ａを囲むようにして配筋された複数のあばら筋３とで構成されており、あばら筋３は主筋２ａの長手方向に所定間隔で配筋され、主筋２ａに固定されている。そして、複数のあばら筋３のうち開口４が設けられる部位を貫く部分は、開口４を設ける前に切断されて除去される。
【００１８】
ついで、開口補強筋５の第１補強筋１０を、骨組２の両側面のうち基礎１の外周側に対応する側面において、一対の側方補強筋１１・１１が開口４が設けられる部位を側方から挟むように、かつ連結筋１２が開口４の下方に配置されるようにして設ける。
一方、第２補強筋２０の設置位置を開口４の大きさに応じて上下に適宜変更して、第２補強筋２０を開口４が設けられる部位の下方において側方補強筋１１・１１間に亙って設けることで、開口４周囲の基礎部分を補強する。
ここで、第１補強筋１０及び第２補強筋２０は、第１補強筋１０と第２補強筋２０とを溶接するとともに、第１補強筋１０及び第２補強筋２０を主筋２ａ及びあばら筋３に溶接することで、開口４が設けられる部位の周囲に設けられる。
【００１９】
開口４が設けられる部位の下方に第２補強筋２０を設ける方法について、図１〜図３を用いて具体的に説明する。なお、図１〜図３に示すように、開口４ａ〜４ｃの大きさは、開口４ａ＜開口４ｂ＜開口４ｃとなっている。
【００２０】
開口４ａの場合には、外側補強筋２２・２２を基端連結筋２１よりも下方に配置した状態で、第２補強筋２０を設ける。開口４ｂの場合には、第２補強筋２０を開口４ａの場合よりも下方に設け、開口４ｃの場合には、基端連結筋２１を開口４ｂの場合よりも下方に配置し、かつ外側補強筋２２・２２を基端連結筋２１よりも上方に配置した状態で、第２補強筋２０を設ける。
【００２１】
従って、本実施の形態によれば、上記方法により開口４の周囲の基礎部分を補強するので、開口４の大きさによらず、開口４の周囲の基礎部分を開口補強筋５の第１補強筋１０及び第２補強筋２０で補強することができる。従って、開口４周囲の基礎部分を容易に補強することができる。
【００２２】
また、連結筋１２は、側方補強筋１１・１１の下端部１１ｂ・１１ｂどうしを連結しているので、連結筋１２を開口４の下方に配置した状態で開口４周囲の基礎１を補強することによって、開口４の下方及び側方の基礎部分を連結筋１２及び側方補強筋１１・１１によって補強することができる。
また、側方補強筋１１・１１の長さが、基礎１の地盤６からの高さとほぼ同じになっているので、側方補強筋１１・１１で挟まれる開口４の上下の大きさを、第２補強筋２０の設置高さを調整することによって自在に変更することができる。
さらには、第２補強筋２０の設置高さを調整するとともに、外側補強筋２２・２２を基端連結筋２１よりも下方に配置するかまたは上方に配置するかを適宜選択することにより、開口４の上下の大きさをより自在に変更することができる。
【００２３】
なお、以上の実施の形態においては、３種類の大きさの開口４ａ〜４ｃの周囲の基礎１を補強するものとしたが、本発明はこれに限定されるものではなく、他の大きさの開口に本発明に係る開口補強筋５を適用してもよい。
また、鉄筋を折り曲げることで第１補強筋１０及び第２補強筋２０を形成するものとしたが、複数の部材を接続することで形成してもよい。例えば第１補強筋を形成するのであれば、側方補強筋を構成する鉄筋と、連結筋を構成する鉄筋とを別々に形成しておき、これら鉄筋を溶接等により接続することで第１補強筋を形成してもよい。
【００２４】
【発明の効果】
請求項１記載の発明によれば、開口の大きさによらず、開口の周囲の基礎部分を開口補強筋の第１補強筋及び第２補強筋で補強することができるので、開口周囲の基礎部分を容易に補強することができる。
また、第２補強筋を配筋するに際し、第２補強筋の設置高さを調整するとともに、外側補強筋を基端連結筋よりも下方に配置するかまたは上方に配置するかを適宜選択することにより、開口の上下の大きさをより自在に変更することができる。
請求項２記載の発明によれば、請求項１と同様の効果を得ることができるのは勿論のこと、開口の下方及び側方の基礎部分を連結筋及び側方補強筋によって補強することができる。
【００２５】
請求項３記載の発明によれば、請求項１または２と同様の効果を得ることができるのは勿論のこと、側方補強筋で挟まれる開口の上下の大きさを自在に変更することができる。
【００２６】
請求項４記載の発明によれば、開口の大きさによらず、開口の周囲の基礎部分を開口補強筋の第１補強筋及び第２補強筋で補強することができるので、開口周囲の基礎部分を容易に補強することができる。また、請求項２または３記載の開口補強筋を用いることで、請求項２または３と同様の効果を得ることができる。
【図面の簡単な説明】
【図１】本発明の一例である開口補強筋を開口が設けられる部位の周囲に設ける態様を示した正面図である。
【図２】同、開口補強筋を開口が設けられる部位の周囲に設ける態様を示した正面図である。
【図３】同、開口補強筋を開口が設けられる部位の周囲に設ける態様を示した正面図である。
【図４】図３の状態の斜視図である。
【図５】開口補強筋を構成する第１補強筋の正面図である。
【図６】同、第２補強筋の正面図である。
【符号の説明】
１    基礎
４    開口
５    開口補強筋
６    地盤
１０    第１補強筋
１１    側方補強筋
１２    連結筋
２０    第２補強筋
２１    基端連結筋
２２    外側補強筋
【図１】
0004302283.tif 000002
【図２】
0004302283.tif 000003
【図３】
0004302283.tif 000004
【図４】
0004302283.tif 000005
【図５】
0004302283.tif 000006
【図６】
0004302283.tif 000007